(57)【要約】【課題】一つのディスプレイ画面でそれぞれ異なる特徴を有する多数の映像をシームレスに共に見ることができるように、多数の映像を分割された画面で同時に比較することができるディスプレイ装置及びそれを用いた映像表示方法を提供する。【解決手段】本発明のディスプレイ装置は、同一の対象体の所定領域に対する複数のそれぞれ異なる種類の対象体映像が格納されたメモリと、それぞれ異なる種類の対象体映像を同時に表示する命令が入力される入力部と、それぞれ異なる種類の対象体映像を同時に表示するディスプレイ部と、を備え、ディスプレイ部は、入力部に命令が入力されると、それぞれ異なる種類の対象体映像が表示された画面を、対象体の一部を示す第１映像が表示される第１領域と対象体の残りの部分を示す第２映像が表示される第２領域とに分割して表示する。【選択図】図２
2015076882.tif 000002
【特許請求の範囲】
【請求項１】
同一の対象体の所定領域に対する複数のそれぞれ異なる種類の対象体映像が格納されたメモリと、
前記それぞれ異なる種類の対象体映像を同時に表示する命令が入力される入力部と、
前記それぞれ異なる種類の対象体映像を同時に表示するディスプレイ部と、を備え、
前記ディスプレイ部は、
前記入力部に前記命令が入力されると、前記それぞれ異なる種類の対象体映像が表示された画面を、対象体の一部を示す第１映像が表示される第１領域と対象体の残りの部分を示す第２映像が表示される第２領域とに分割して表示することを特徴とするディスプレイ装置。
【請求項２】
前記入力部は、前記第１領域と前記第２領域との境界を前記第１領域側に移動させる境界移動命令が更に入力され、
前記ディスプレイ部は、前記境界移動命令に従って、前記第１領域の画面占有比率を減少させて前記第２領域の画面占有比率を増加させることを特徴とする請求項１に記載のディスプレイ装置。
【請求項３】
前記入力部は、前記第１領域と前記第２領域との境界を前記第１領域側に移動させる境界移動命令が更に入力され、
前記ディスプレイ部は、前記境界移動命令に従って、前記第１映像が示す対象体の比率を減少させて前記第２映像が示す対象体の比率を増加させることを特徴とする請求項１に記載のディスプレイ装置。
【請求項４】
前記ディスプレイ部は、画面の分割のために設けられた少なくとも一つのマーカーを表示し、
前記マーカーがドラッグされると、前記ディスプレイ部は、ドラッグ方向に前記第１領域と前記第２領域との境界を移動させて前記第１領域及び前記第２領域の画面占有比率を相対的に変化させることを特徴とする請求項１に記載のディスプレイ装置。
【請求項５】
前記ディスプレイ部の画面のうちの一部の地点が選択されると、前記ディスプレイ部は、該選択された地点を通る水平線、垂直線、及び対角線のいずれか一つを境界として前記画面を第１領域と第２領域とに分割し、
前記選択された地点がドラッグされると、前記ディスプレイ部は、ドラッグ方向に前記境界を移動させて前記第１領域及び前記第２領域の画面占有比率を相対的に変化させることを特徴とする請求項１に記載のディスプレイ装置。
【請求項６】
前記ディスプレイ部の画面のうちの第１地点が選択されると、前記ディスプレイ部は、該選択された第１地点を通る水平線、垂直線、及び対角線のいずれか一つを境界として前記画面を第１領域と第２領域とに分割し、
前記第１地点と異なる第２地点が選択されると、前記ディスプレイ部は、該選択された第２地点を通る水平線、垂直線、及び対角線のいずれか一つに前記境界を移動させて前記第１領域及び前記第２領域の画面占有比率を変化させることを特徴とする請求項１に記載のディスプレイ装置。
【請求項７】
前記入力部は、前記第１映像又は前記第２映像の映像変更命令が更に入力され、
前記ディスプレイ部は、前記映像変更命令に従って、前記第１領域に表示された第１映像又は前記第２領域に表示された第２映像を、前記メモリに格納された他の種類の対象体映像に変更して表示することを特徴とする請求項１に記載のディスプレイ装置
【請求項８】
前記入力部は、画面に表示された対象体映像のうちの特定部分に対する拡大命令が更に入力され、
前記ディスプレイ部は、前記拡大命令に従って、前記対象体映像のうちの特定部分を拡大して表示し、
拡大された特定部分に対する分割命令が入力されると、前記ディスプレイ部は、拡大して表示された画面を、対象体の一部を示す第１映像が表示される第１領域と対象体の残りの部分を示す第２映像が表示される第２領域とに分割することを特徴とする請求項１に記載のディスプレイ装置。
【請求項９】
同一の対象体の所定領域に対する複数のそれぞれ異なる種類の対象体映像が格納されたメモリと、前記それぞれ異なる種類の対象体映像を同時に表示する命令が入力される入力部と、前記それぞれ異なる種類の対象体映像を同時に表示するディスプレイ部と、を備えるディスプレイ装置の映像表示方法であって、
前記入力部で、一つの対象体映像に対する画面分割命令が入力されるステップと、
前記ディスプレイ部が、前記画面分割命令に従って、前記それぞれ異なる種類の対象体映像が表示された画面を、対象体の一部を示す第１映像が表示される第１領域と対象体の残りの部分を示す第２映像が表示される第２領域とに分割して表示するステップと、を有することを特徴とするディスプレイ装置の映像表示方法。
【請求項１０】
前記入力部で、前記第１領域と前記第２領域との境界を前記第１領域側に移動させる境界移動命令が更に入力されるステップと、
前記ディスプレイ部が、前記境界移動命令に従って、前記第１領域の画面占有比率を減少させて前記第２領域の画面占有比率を増加させるステップと、を更に含むことを特徴とする請求項９に記載のディスプレイ装置の映像表示方法。
【請求項１１】
前記入力部で、前記第１領域と前記第２領域との境界を前記第１領域側に移動させる境界移動命令が更に入力されるステップと、
前記ディスプレイ部が、前記境界移動命令に従って、前記第１映像が示す対象体の比率を減少させて前記第２映像が示す対象体の比率を増加させるステップと、を更に含むことを特徴とする請求項９に記載のディスプレイ装置の映像表示方法。
【請求項１２】
前記ディスプレイ部が、画面の分割のために設けられた少なくとも一つのマーカーを表示するステップと、
前記マーカーがドラッグされると、前記ディスプレイ部が、ドラッグ方向に前記第１領域と前記第２領域との境界を移動させて前記第１領域及び前記第２領域の画面占有比率を相対的に変化させるステップと、を更に含むことを特徴とする請求項９に記載のディスプレイ装置の映像表示方法。
【請求項１３】
前記ディスプレイ部の画面のうちの一部の地点が選択されると、前記ディスプレイ部が、該選択された地点を通る水平線、垂直線、及び対角線のいずれか一つを境界として前記画面を第１領域と第２領域とに分割するステップと、
前記選択された地点がドラッグされると、前記ディスプレイ部が、前記ドラッグ方向に前記境界を移動させて前記第１領域及び前記第２領域の画面占有比率を相対的に変化させるステップと、を更に含むことを特徴とする請求項９に記載のディスプレイ装置の映像表示方法。
【請求項１４】
前記ディスプレイ部の画面のうちの第１地点が選択されると、前記ディスプレイ部が、該選択された第１地点を通る水平線、垂直線、及び対角線のいずれか一つを境界として前記画面を第１領域と第２領域とに分割するステップと、
前記第１地点と異なる第２地点が選択されると、前記ディスプレイ部が、該選択された第２地点を通る水平線、垂直線、及び対角線のいずれか一つに前記境界を移動させて前記第１領域及び前記第２領域の画面占有比率を変化させるステップと、を更に含むことを特徴とする請求項９に記載のディスプレイ装置の映像表示方法。
【請求項１５】
前記入力部で、画面に表示された対象体映像のうちの特定部分に対する拡大命令が更に入力されるステップと、
前記ディスプレイ部が、前記拡大命令に従って、前記対象体映像のうちの特定部分を拡大して表示するステップと、
拡大された特定部分に対する分割命令が入力されると、前記ディスプレイ部が、拡大して表示された画面を、対象体の一部を示す第１映像が表示される第１領域と対象体の残りの部分を示す第２映像が表示される第２領域とに分割するステップと、を更に含むことを特徴とする請求項９に記載のディスプレイ装置の映像表示方法。
【発明の詳細な説明】
【技術分野】
【０００１】
本発明は、映像が表示されるディスプレイ装置及びそれを用いた映像表示方法に関する。
【背景技術】
【０００２】
ディスプレイ装置を通じて映像を確認するとき、多数の映像を互いに比較することが必要な場合がある。このような比較は、病変を発見するために多数の医療映像装置で患者を撮影しなければならない医療分野で必要であり、一般に、様々な医療映像装置で撮影した多数の映像を比較するために、多数のディスプレイ装置にそれぞれ確認しようとする映像を表示する。
【０００３】
多数のディスプレイ装置を使用する場合、一つのディスプレイ装置を使用する場合より関心領域を迅速に比較することが容易でなく、一つのディスプレイ装置から他のディスプレイ装置に継続して視線を移しながら関心領域を確認しなければならないため、注意が散漫になったり、集中力が低下したりすることがある。
【発明の概要】
【発明が解決しようとする課題】
【０００４】
本発明は、上記従来の問題点に鑑みてなされたものであって、本発明の目的は、多数の映像を分割された画面で同時に比較することができるディスプレイ装置及びそれを用いた映像表示方法を提供することにある。
【課題を解決するための手段】
【０００５】
上記目的を達成するためになされた本発明の一態様によるディスプレイ装置は、同一の対象体の所定領域に対する複数のそれぞれ異なる種類の対象体映像が格納されたメモリと、前記それぞれ異なる種類の対象体映像を同時に表示する命令が入力される入力部と、前記それぞれ異なる種類の対象体映像を同時に表示するディスプレイ部と、備え、前記ディスプレイ部は、前記入力部に前記命令が入力されると、前記それぞれ異なる種類の対象体映像が表示された画面を、対象体の一部を示す第１映像が表示される第１領域と対象体の残りの部分を示す第２映像が表示される第２領域と、に分割して表示する。
【０００６】
また、ディスプレイ装置は、同一の対象体の所定領域に対する複数のそれぞれ異なる種類の対象体映像が格納されたメモリと、画面分割命令又は境界移動命令のいずれか一つが入力される入力部と、前記それぞれ異なる種類の対象体映像を同時に表示するディスプレイ部と、を備え、前記ディスプレイ部は、前記画面分割命令が入力されると、前記それぞれ異なる種類の対象体映像が表示された画面を、対象体の一部を示す第１映像が表示される第１領域と対象体の残りの部分を示す第２映像が表示される第２領域と、に分割して表示し、前記境界移動命令が入力されると、前記第１領域と前記第２領域との境界を、前記境界移動命令に従って、前記第１領域及び前記第２領域のいずれか一方に移動させて前記第１領域及び前記第２領域の画面占有比率と前記第１映像及び前記第２映像が示す対象体の比率とを変化させて表示する。
【０００７】
上記目的を達成するためになされた本発明の一態様による同一の対象体の所定領域に対する複数のそれぞれ異なる種類の対象体映像が格納されたメモリと、前記それぞれ異なる種類の対象体映像を同時に表示する命令が入力される入力部と、前記それぞれ異なる種類の対象体映像を同時に表示するディスプレイ部と、を備えるディスプレイ装置の映像表示方法は、前記入力部で、一つの対象体映像に対する画面分割命令が入力されるステップと、前記ディスプレイ部が、前記画面分割命令に従って、前記それぞれ異なる種類の対象体映像が表示された画面を、対象体の一部を示す第１映像が表示される第１領域と対象体の残りの部分を示す第２映像が表示される第２領域とに分割して表示するステップと、を有する。
【０００８】
また、ディスプレイ装置は、対象体の特定領域を示す複数の映像を表示する際に、前記対象体の特定領域を示す複数の映像のそれぞれの一部分の結合が前記対象体の特定領域を形成するように複数の映像の一部分をシームレスにディスプレイ部に共に表示する。
【発明の効果】
【０００９】
本発明によれば、複数のディスプレイ装置ではなく、一つのディスプレイ装置で、それぞれ異なる技法で撮影されてそれぞれ固有の情報を有する異なる種類の映像を通じて関心領域を比較することができる。
また、一つのディスプレイ装置で、関心領域を複数の映像を通じて同時に確認できるため、診断の正確度を向上させることができ、より直観的な診断が可能になる。
【図面の簡単な説明】
【００１０】
【図１】ディスプレイ装置の例示的な構成を示す図である。
【図２】ディスプレイ装置の画面を分割して映像を表示する例示的な方法を示す図である。
【図３】ディスプレイ装置の画面を分割して映像を表示する例示的な方法を示す図である。
【図４】ディスプレイ装置の画面を分割して映像を表示する例示的な方法を示す図である。
【図５】ディスプレイ装置の画面を分割して映像を表示する例示的な方法を示す図である。
【図６】ディスプレイ装置の画面を分割して映像を表示する例示的な方法を示す図である。
【図７】ディスプレイ装置の画面を分割して映像を表示する例示的な方法を示す図である。
【図８】ディスプレイ装置の画面を分割して映像を表示する例示的な方法を示す図である。
【図９】ディスプレイ装置の画面を分割して映像を表示する例示的な方法を示す図である。
【図１０】ディスプレイ装置の画面を分割して映像を表示する例示的な方法を示す図である。
【図１１】ディスプレイ装置の画面を分割して映像を表示する例示的な方法を示す図である。
【図１２】ディスプレイ装置の画面を分割して映像を表示する例示的な方法を示す図である。
【図１３】ディスプレイ装置の画面を分割して映像を表示する例示的な方法を示す図である。
【図１４】ディスプレイ装置の画面を分割して映像を表示する例示的な方法を示す図である。
【図１５】分割された領域に表示される映像を予め確認できるようにディスプレイ部にマーカー及びテキストが共に表示される一例を示す図である。
【図１６】分割された第１領域及び第２領域に表示される第１映像及び第２映像を他の映像に変更する例示的な方法を示す図である。
【図１７】分割された第１領域及び第２領域に表示される第１映像及び第２映像を他の映像に変更する例示的な方法を示す図である。
【図１８】分割された第１領域及び第２領域に表示される第１映像及び第２映像を他の映像に変更する例示的な方法を示す図である。
【図１９】分割された第１領域及び第２領域に表示される第１映像及び第２映像を他の映像に変更する例示的な方法を示す図である。
【図２０】分割された第１領域及び第２領域に表示される第１映像及び第２映像を他の映像に変更する例示的な方法を示す図である。
【図２１】ディスプレイ部に表示される映像を拡大して分割する例示的な方法を示す図である。
【図２２】ディスプレイ部に表示される映像を拡大して分割する例示的な方法を示す図である。
【発明を実施するための形態】
【００１１】
以下、本発明を実施するための形態の具体例を、図面を参照しながら詳細に説明する。
【００１２】
図１は、ディスプレイ装置の例示的な構成を示す図である。ディスプレイ装置１は、映像を表示するディスプレイ部１００と、ディスプレイ部１００に表示される対象体の映像を格納するメモリ２０と、ディスプレイ装置１の操作のための命令を入力する入力部１０とを含む。本実施形態によるディスプレイ装置１は、映像を表示する装置を全て含む概念であって、商用化されたデスクトップコンピュータ、ラップトップコンピュータ、タブレットコンピュータ、スマートフォンなどを含む。
【００１３】
ディスプレイ部１００は、ディスプレイ装置１において映像が表示される画面を含む構成であって、公知の様々な種類のディスプレイ方式で具現される。そして、ディスプレイ部１００は、入力部１０を介した入力以外に、使用者がディスプレイ部１００を直接タッチして命令を入力できるように、タッチスクリーンを使用して具現される。使用者は、ディスプレイ部１００を指やタッチペンを用いてタッチすることによって、所望の命令をディスプレイ装置１に入力することができる。入力部１０は、キーボード、マウス、ジョイスティック、トラックボール、ジョグシャトル、音声認識装置、動作認識装置などを含む。入力部１０は、ディスプレイ装置１と一体型に形成されるか、又はディスプレイ装置１に内蔵される。これとは異なり、入力部は、ディスプレイ装置と別途に設けられてもよい。ディスプレイ装置と別途に設けられる入力部は、入力される命令を無線通信方式でディスプレイ装置に伝送するか、又は様々な種類のコネクターを介してディスプレイ装置と接続される。ディスプレイ装置１を通じて映像を確認するとき、使用者は、それぞれ異なる技法で撮影した同一の対象体の映像、又は同一の対象体の所定領域に対する映像を確認しなければならない場合がある。特に、医療分野では、そのような必要性が更に高い。医療分野では、疾病の診断のために、Ｘ線装置、超音波装置、コンピュータ断層撮影装置、磁気共鳴映像装置、陽電子断層撮影装置、単一光子断層撮影装置のような様々な種類のモダリティが使用される。各モダリティは、様々な種類の撮影技法を用いて対象体を撮影する。例えば、Ｘ線装置の場合、予め定められた様々な撮影技法を通じて、対象体の骨及び臓器のような軟組織が全て示される一般のＸ線映像、骨のみが示される骨Ｘ線映像、臓器のような軟組織のみが示される軟組織Ｘ線映像、カラーを通じて対照度が強調されたカラーＸ線映像などを得ることができる。
【００１４】
医療スタッフは、病変を発見するために、上述したような多様なモダリティの様々な技法で撮影した対象体の医療映像を比較して病変が疑われる部位を確認する。複数種類の医療映像を比較するために、一般的に複数個のディスプレイ装置を使用することになるが、一つのディスプレイ装置を使用して複数種類の医療映像を同時に比較すると、より直観的且つ効率的な比較が可能である。そこで、開示する実施形態は、それぞれ異なる技法で撮影された複数の医療映像を一つのディスプレイ装置で同時に確認及び比較できるように考案されたユーザインターフェース及びそれを備えたディスプレイ装置を提供する。以下、実施形態を、医療用診断に用いられるＸ線映像を通じて説明する。しかし、開示する実施形態の技術的思想は、医療映像に限定されず、複数の映像の比較、分析が必要な分野に全て適用可能である。
【００１５】
図２〜図１４は、ディスプレイ装置の画面を分割して映像を表示する例示的な方法を示す図である。
【００１６】
図２は、ディスプレイ部の画面が分割される例示的な過程を示し、図３は、Ｘ線映像の例示として言及する一般のＸ線映像（ｇｅｎｅｒａｌ）、軟組織Ｘ線映像（ｓｏｆｔ）、骨Ｘ線映像（ｂｏｎｅ）、及びカラーＸ線映像（ｃｏｌｏｒ）を示す。
【００１７】
図２の（ａ）を参照すると、ディスプレイ部１００には、対象体の胸部を撮影した一般のＸ線映像が表示され、画面を分割するために設けられたマーカー１１０、１１１がディスプレイ部１００の左右側に表示される。Ｘ線映像は、医療映像の一例に過ぎず、ディスプレイ部１００に表示される医療映像は、Ｘ線映像に限定されず、超音波装置、コンピュータ断層撮影装置、磁気共鳴映像装置、陽電子断層撮影装置、単一光子断層撮影装置などのような他の種類のモダリティで撮影した映像も含む。
【００１８】
図２の（ａ）は、一般のＸ線映像に該当する第１映像１２１が表示される第１領域１２０がディスプレイ部１００のディスプレイ領域全体を占める画面分割前の状態を示す。画面が分割される前の第１領域１２０に表示される第１映像１２１は、他の技法で撮影された他の映像の比較対象となる参照映像として活用される。従って、図３に示した一般のＸ線映像を第１映像１２１として表示するが、これに限定されず、図３に示した骨Ｘ線映像や軟組織Ｘ線映像又はカラーＸ線映像など、同一の対象体の一定領域をそれぞれ異なる技法で撮影して獲得した様々な種類の映像を表示することができ、これは、使用者が選択することができる。
【００１９】
図２の（ｂ）に示すように、使用者がディスプレイ部１００の左側に表示されたマーカー１１０をクリックし、（ｃ）に示すように、マーカー１１０を右側にドラッグする命令が入力されると、画面が第１領域１２０と第２領域１３０とに分割される。マーカー１１０をクリックするとマーカー１１０を通る垂直境界線Ｖｂ１が形成され、マーカー１１０をドラッグすると垂直境界線Ｖｂ１もマーカー１１０のドラッグ方向にマーカー１１０と共に移動する。垂直境界線Ｖｂ１は、第１領域１２０と第２領域１３０との境界に該当する。
【００２０】
図２の（ａ）〜（ｄ）に示すように、マーカー１１０は、矢印のようなシンボルを含むことで、移動可能な方向を示すことができる。そして、マーカー１１０のクリック及びドラッグは、マウス、キーボード、トラックボール、ジョイスティック、ジョグシャトル、音声認識装置、動作認識装置のような上述した入力部１０を通じて行われる。
【００２１】
図２の（ｃ）に示すように、マーカー１１０をクリックしてディスプレイ部１００の右側にドラッグすることによって垂直境界線Ｖｂ１を右側に移動させると、第１領域１２０の画面占有比率が減少し、新しく生成された第２領域１３０の画面占有比率が増加する。第１領域１２０の画面占有比率が減少しながら、第１領域１２０に表示される第１映像１２１が対象体の胸部位を示す比率もまた、それに比例して減少する。図２の（ａ）は、第１映像１２１が対象体の全体を示すが、（ｃ）は、対象体の胸部位の右側半分程度のみが第１映像１２１で表示され、残りの半分程度は第２領域１３０に表示される第２映像１３１で表示される。第１映像１２１が表示された第１領域１２０と第２映像１３１が表示された第２領域１３０との結合は、対象体の胸部位全体を示す。
【００２２】
図２（ｄ）に示すように、マーカー１１０をクリックして第２領域１３０側にドラッグすることによって垂直境界線Ｖｂ１を第２領域１３０側に移動させると、減少した第１領域１２０の画面占有比率が再び増加し、増加した第２領域１３０の画面占有比率が再び減少する。第１領域１２０の画面占有比率が増加しながら、第１領域１２０に表示される第１映像１２１が対象体の胸部位を示す比率もまた、それに比例して増加する。図２の（ｃ）は、第１映像１２１が対象体の胸部位の右側半分程度のみを示すが、（ｄ）は、対象体の２／３程度が第１映像１２１で表示される。残りの１／３程度は、第２領域１３０に表示される第２映像１３１で表示される。図２の（ｃ）と同様に、第１映像１２１が表示された第１領域１２０と第２映像１３１が表示された第２領域１３０との結合は、対象体の胸部位全体を示す。
【００２３】
図２（ｃ）及び（ｄ）に示すように、第２映像１３１は、同一の対象体の同一の部位又は領域に対するＸ線映像であるが、対象体の骨を除いた軟組織を示した軟組織Ｘ線映像（図３参照）である。軟組織Ｘ線映像は一例に過ぎず、第１映像１２１が示す対象体の領域と同一の領域を他の撮影技法で撮影して獲得した映像であれば、第２映像１３１に含めることができる。
【００２４】
図２（ｃ）及び（ｄ）に示すように、マーカー１１０の移動によって、第１領域１２０及び第２領域１３０の画面占有比率が変化し、それによって、第１映像１２１及び第２映像１３１が示す対象体領域の比率もまた変化するが、第１映像１２１及び第２映像１３１が示す対象体領域の比率の変化と関係なく、第１映像１２１及び第２映像１３１は垂直境界線Ｖｂ１で自然に整合される。このように整合された映像は、画面が分割される前と同様に、対象体の撮影部位全体の映像を示す。
【００２５】
このような方法を使用する場合、使用者は、観察しようとする関心領域の近くでマーカー１１０を移動させながら、関心領域を第１映像１２１及び第２映像１３１で容易且つ迅速に交互に確認することができる。即ち、使用者は、複数のディスプレイ装置ではなく一つのディスプレイ装置で、互いに異なる技法で撮影されてそれぞれ固有の情報を有する異なる種類の関心領域の映像を容易にシームレス（ｓｅａｍｌｅｓｓ）に比較することができる。一つのディスプレイ装置１で、同一の部位を複数の映像を通じて同時にシームレス（ｓｅａｍｌｅｓｓ）に確認できるため、診断の正確度を向上させることができ、より直観的な診断が可能になる。
【００２６】
図４は、ディスプレイ部を直接タッチして画面を分割する例示的な過程を示す。図４に示した実施例は、図２と比較して、ディスプレイ部１００のマーカー１１０を指又はタッチペンのようなタッチツールを用いてタッチするという点で異なる。ディスプレイ部１００は、タッチによる命令が入力可能なように、公知の様々なタッチスクリーンを使用することができる。その他の技術的な内容は図２と同一であるので、以下では説明を省略する。
【００２７】
図５は、ディスプレイ部の画面が分割される他の例示的な過程を示す。図５に示した実施例は、図２と比較して、右側マーカー１１１をクリックして移動させる点、及び第２領域１４０に表示される第２映像１４１として骨Ｘ線映像（図３参照）が用いられるという点で異なる。その他の技術的内容は図２と同一であるので、以下では説明を省略する。
【００２８】
一般のＸ線映像と軟組織Ｘ線映像とを比較して観察したい場合は、図２に示したように、ディスプレイ部１００の左側に表示されたマーカー１１０をドラッグして画面を分割し、一般のＸ線映像と骨Ｘ線映像とを比較して観察したい場合は、図５に示したように、ディスプレイ部１００の右側に表示されたマーカー１１１をドラッグして画面を分割する。分割された画面の第２領域１３０、１４０に表示される映像は、他の種類の映像に変更することができる。勿論、第１領域１２０に表示される映像も同様である。これについては、図１６〜図１９と共に後述する。
【００２９】
図６は、ディスプレイ部を直接タッチして画面を分割する他の例示的な過程を示す。図６に示した実施例は、図５と比較して、ディスプレイ部１００のマーカー１１１を指又はタッチペンのようなタッチツールを用いてタッチするという点で異なる。ディスプレイ部１００は、タッチによる命令が入力可能なように、公知の様々なタッチスクリーンを使用することができる。その他の技術的な内容は同一であるので、以下では説明を省略する。
【００３０】
図７は、ディスプレイ部の画面が３個の領域に分割される例示的な過程を示す。
【００３１】
図７の（ａ）〜（ｄ）は、図２の（ａ）〜（ｄ）と同一であるので、その説明を省略する。
【００３２】
図７（ｅ）に示すように、ディスプレイ部１００の右側に表示されたマーカー１１１をクリックし、（ｆ）に示すように、マーカー１１１をクリックしたまま左方向にドラッグすると、画面が、中央の第１領域１２０と、左右の分離された第２領域１３０及び第３領域１６０に分割される。マーカー１１１をクリックするとマーカー１１１を通る垂直境界線Ｖｂ２が生成され、マーカー１１１をドラッグすると垂直境界線Ｖｂ２もマーカー１１１のドラッグ方向にマーカー１１１と共に移動する。
【００３３】
図７の（ｆ）に示すように、ディスプレイ部１００の右側に表示されたマーカー１１１をクリックしてドラッグすると、第１領域１２０と新しく生成された第３領域１６０との境界に該当する新しい垂直境界線Ｖｂ２が生成され、垂直境界線Ｖｂ２は、ドラッグ方向にマーカー１１１と共に移動する。ディスプレイ部１００の右側に表示されたマーカー１１１をクリックして、ディスプレイ部１００の左方向にドラッグすることによって新しい垂直境界線Ｖｂ２を左方向に移動させると、第１領域１２０がディスプレイ部１００の画面を占有する比率が減少し、新しく生成された第３領域１６０の画面占有比率が増加する。第１領域１２０の画面占有比率が減少しながら、第１領域１２０に表示される第１映像１２１が対象体を示す比率もまた、それに比例して減少する。図７の（ｅ）は、第１映像１２１が対象体の２／３程度を示すが、（ｆ）は、対象体の１／３程度のみが第１映像１２１で表示される。対象体の残りの１／３程度は、新しく生成された第３領域１６０の第３映像１６１で表示される。第１映像１２１が表示された第１領域１２０、第２映像１３１が表示された第２領域１３０、及び第３映像１６１が表示された第３領域１６０の結合は、対象体の胸部位全体を示し、第１映像１２１〜第３映像１６１は整合されて、対象体の胸部位全体がシームレスに見えるように表示される。
【００３４】
分割された各領域に表示された映像を見ると、図７の（ｆ）に示すように、画面左側の第２領域１３０には対象体の軟組織Ｘ線映像が表示され、中央の第１領域１２０には対象体の一般のＸ線映像が表示され、右側の第３領域１６０には対象体の骨Ｘ線映像が表示される。即ち、図７の（ｆ）に示した、分割された３個の領域に表示される映像は、同一の対象体の同一の部位に対するＸ線映像であるが、それぞれ異なる撮影技法で撮影したため、対象体のそれぞれ異なる特徴を示す。しかし、それぞれ異なる領域に表示される映像は、必ずしも異なる技法で撮影された映像である必要はない。例えば、図７の（ｆ）の第２領域１３０及び第３領域１６０に表示される映像は、同一の技法で撮影された映像（一例として、軟組織Ｘ線映像又は骨Ｘ線映像）であってもよい。
【００３５】
マーカー１１０、１１１の移動によって、第１領域１２０、第２領域１３０、及び第３領域１６０の画面占有比率が変化し、それによって、第１映像１２１、第２映像１３１、及び第３映像１６１が示す対象体の比率もまた変化するが、第１映像１２１、第２映像１３１、及び第３映像１６１が示す対象体の比率の変化と関係なく、第１映像１２１、第２映像１３１、及び第３映像１６１は、垂直境界線Ｖｂ１、Ｖｂ２で自然に整合する。このように整合された映像は、画面が分割される前と同様に、対象体の撮影部位全体の映像を示す。
【００３６】
上述したように、このような方法を活用する場合、使用者は、観察しようとする関心領域の近くで、図７に示したように２個のマーカー１１０、１１１を移動させながら、関心領域を第１映像１２１、第２映像１３１、及び第３映像１６１で容易且つ迅速に交互に確認することができる。即ち、使用者は、複数のディスプレイ装置ではなく一つのディスプレイ装置で、それぞれ異なる技法で撮影されてそれぞれ固有の情報を有する異なる種類の映像で整合された関心領域の映像を、容易にシームレスに交互に比較することができる。
【００３７】
図２及び図７には、それぞれ画面が２個の領域と３個の領域に分割された場合を示しているが、それ以上の領域に分割できることは勿論である。このように、一つのディスプレイ装置で、複数の領域に分割された画面を通じて、対象体の同一の部位を複数の映像を通じて同時に確認できるため、診断の正確度を向上させることができ、より直観的な診断が可能になる。
【００３８】
図８は、ディスプレイ部の画面が３個の領域に分割される他の例示的な過程を示す。
【００３９】
図８に示した実施例は、図７と比較して、ディスプレイ部１００のマーカー１１０、１１１を指又はタッチペンのようなタッチツールを用いてタッチするという点で異なる。ディスプレイ部１００は、タッチによる命令が入力可能なように、公知の様々なタッチスクリーンを使用することができる。その他の技術的な内容は図７と同一であるので、以下では説明を省略する。
【００４０】
図９は、ディスプレイ部の画面が上下に分割される過程を例示的に示す。
【００４１】
図９の（ａ）を参照すると、ディスプレイ部１００には、対象体の胸部を撮影した一般のＸ線映像が表示され、画面を分割するために設けられたマーカー１１２が、ディスプレイ部１００の画面の上部に表示される。
【００４２】
図９の（ｂ）に示すように、ディスプレイ部１００の画面の上部に表示されたマーカー１１２をクリックし、（ｃ）に示すように、マーカー１１２をクリックしたまま下方向にドラッグすると、画面が第１領域１２０と第２領域１５０とに分割される。マーカー１１２をクリックするとマーカー１１２を通る水平境界線ｈｂ１が生成され、マーカー１１２をドラッグすると水平境界線ｈｂ１もマーカー１１２のドラッグ方向にマーカー１１２と共に移動する。水平境界線ｈｂ１は、第１領域１２０と第２領域１５０との境界に該当する。
【００４３】
マーカー１１２をクリックしてディスプレイ部１００の下方向にドラッグすることによって水平境界線ｈｂ１を下方向に移動させると、第１領域１２０がディスプレイ部１００の画面を占有する比率が減少し、新しく生成された第２領域１５０の画面占有比率が増加する。第１領域１２０の画面占有比率が減少しながら、第１領域１２０に表示される第１映像１２１が対象体の胸部位を示す比率もまた、それに比例して減少する。図９の（ａ）は、第１映像１２１が対象体の胸部位全体を示すが、（ｃ）は、対象体の胸部位の下側半分程度のみが第１映像１２１で表示される。残りの半分程度は、第２領域１５０に表示される第２映像１５１で表示される。第１映像１２１が表示された第１領域１２０と第２映像１５１が表示された第２領域１５０との結合は、対象体の胸部位全体を示し、第１映像１２１及び第２映像１３１は整合されて、対象体の胸部位全体がシームレスに見えるように表示される。
【００４４】
図９（ｄ）に示すように、マーカー１１２をクリックして第２領域１５０側にドラッグすることによって水平境界線ｈｂ１を第２領域１５０側に移動させると、減少した第１領域１２０の画面占有比率が再び増加し、増加した第２領域１５０の画面占有比率が再び減少する。第１領域１２０の画面占有比率が増加しながら、第１領域１２０に表示される第１映像１２１が対象体を示す比率もまた、それに比例して増加する。図９の（ｃ）は、第１映像１２１が対象体の下側半分程度のみを示すが、（ｄ）は、対象体の２／３程度が第１映像１２１で表示される。残りの１／３程度は、第２領域１５０に表示される第２映像１５１で表示される。しかし、図９の（ｃ）と同様に、第１映像１２１と第２映像１５１との結合は、対象体の胸部位全体を示す。
【００４５】
図９（ｃ）及び（ｄ）に示すように、第２映像１５１は、同一の対象体の同一の部位に対するＸ線映像であるが、グレー映像ではなく、カラーＸ線映像（図３参照）である。カラーＸ線映像は一例に過ぎず、第１映像１２１が示す対象体の部位と同一の部位を他の撮影技法で撮影して獲得した映像であれば、第２映像１５１に含めることができる。
【００４６】
図９（ｃ）及び（ｄ）に示すように、マーカー１１２の移動によって、第１領域１２０及び第２領域１５０の画面占有比率が変化し、それによって、第１映像１２１及び第２映像１５１が示す対象体部位の比率もまた変化するが、第１映像１２１及び第２映像１５１が示す対象体部位の比率の変化と関係なく、第１映像１２１及び第２映像１５１は水平境界線ｈｂ１で自然に整合する。このように整合された映像は、画面が分割される前と同様に、対象体の撮影部位全体の映像を示す。画面の上部に表示されたマーカー１１２と共に、図には示していないが、画面の左右側に表示された図７のマーカー１１０、１１１を共に操作して、画面を４個又は６個の領域に分割することもできる。
【００４７】
図１０は、ディスプレイ部の画面が上下に分割される他の例示的な過程を示す。図１０に示した実施例は、図９と比較して、ディスプレイ部１００のマーカー１１２を指又はタッチペンのようなタッチツールを用いてタッチするという点で異なる。ディスプレイ部１００は、タッチによる命令が入力可能なように、公知の様々なタッチスクリーンを使用することができる。その他の技術的な内容は図９と同一であるので、以下では説明を省略する。
【００４８】
図１１〜図１４は、ディスプレイ部の画面を分割する他の実施例を示す。
【００４９】
図１１の（ａ）を参照すると、ディスプレイ部１００には、対象体の胸部を撮影した一般のＸ線映像が表示され、画面を分割するための別途のマーカーが示されない。
【００５０】
図１１の（ｂ）に示すように、画面の任意の位置をクリックすると、図１１の（ｃ）に示すように、クリック地点Ｃｐ１を通る垂直境界線Ｖｂ１が生成され、生成された垂直境界線Ｖｂ１を境界とする第１領域１２０と第２領域１３０とに画面が分割される。図は、第１領域１２０と第２領域１３０との境界線Ｖｂ１が垂直に生成される場合を示すが、水平又は対角線の境界線が形成されてもよい。ユーザが望む境界線を選択できるように、それぞれの境界線毎に、該当の境界線を選択するためのそれぞれ異なる操作方法を予め設定してメモリ２０（図１参照）に格納することができる。例えば、クリック地点Ｃｐ１を一回クリックすると垂直境界線が生成され、２回クリックすると水平境界線が生成されるように予め設定される。分割された第１領域１２０及び第２領域１３０に表示される対象体の映像に対する説明は、図２での説明と同一であるので省略する。
【００５１】
第１領域１２０及び第２領域１３０の画面占有比率を調節するために、図２ではマーカーをドラッグしたが、本実施例では、境界線Ｖｂ１が形成されることを望む地点Ｃｐ１を単純にクリックすることによって、第１領域１２０及び第２領域１３０の画面占有比率を調節することができる。より詳細に説明すると、図１１の（ｄ）に示すように、クリック地点Ｃｐ１と異なる地点Ｃｐ２をクリックすると、図１１の（ｃ）に示した垂直境界線Ｖｂ１は消え、新しいクリック地点Ｃｐ２を通る新しい垂直境界線Ｖｂ１が形成される。画面は、新しく形成された垂直境界線Ｖｂ１を境界として第１領域１２０と第２領域１３０とに分割される。図１１の（ｃ）と比較すると、（ｄ）での第１領域１２０の画面占有比率は減少し、第２領域１３０の画面占有比率は増加する。
【００５２】
図１１の（ｄ）に示すように、新しいクリック地点Ｃｐ２を一回クリックすると、新しいクリック地点Ｃｐ２を通る垂直境界線Ｖｂ１が新しく形成される。別途に図示していないが、新しいクリック地点Ｃｐ２を続けてクリックすると、図１１の（ｃ）に示した垂直境界線Ｖｂ１が、図１１の（ｄ）に示した垂直境界線Ｖｂ１の位置に移動する方式で、新しい垂直境界線Ｖｂ１が生成されてもよい。
【００５３】
図１１の方法とは異なり、図１２の（ｄ）に示すように、図１２の（ｃ）に示したクリック地点Ｃｐ１から、図１２の（ｄ）に示したクリック地点Ｃｐ１にカーソルをドラッグすると、ドラッグされるカーソルに従って、（ｃ）に示した垂直境界線Ｖｂ１が（ｄ）に示した垂直境界線Ｖｂ１の位置に移動する方式で、新しい垂直境界線Ｖｂ１が生成されてもよい。即ち、図１１の（ｄ）のように、新しいクリック地点Ｃｐ２を生成するのではなく、図１２の（ｃ）に示したクリック地点Ｃｐ１を移動させる概念である。
【００５４】
図１３及び図１４は、図１１及び図１２と異なり、タッチによって、図１１及び図１２に示したものと同様の画面分割が起こることを示す。図１３及び図１４に示した実施例は、図１１及び図１２と比較して、ディスプレイ部１００を指又はタッチペンのようなタッチツールを用いてタッチするという点で異なる。ディスプレイ部１００は、タッチによる命令が入力可能なように、公知の様々なタッチスクリーンを使用することができる。その他の技術的な内容は図１１及び図１２と同一であるので、以下では説明を省略する。
【００５５】
図２〜図１４は、Ｘ線装置で獲得した複数の種類の映像が、第１領域１２０及び第２領域１３０に表示されることを示すが、同一の対象体の同一の部位をそれぞれ異なる種類のモダリティで撮影して獲得した映像を、第１領域１２０及び第２領域１３０に表示することも可能である。例えば、ＣＴとＰＥＴでそれぞれ脳の同一の横断面を撮影し、第１領域１２０にはＣＴで撮影した映像を、第２領域１３０にはＰＥＴで撮影した映像を表示することもできる。この場合、使用者は、異なる種類のモダリティで撮影した同一の対象体の同一の部位に対する複数の映像を、一つのディスプレイ装置で同時にシームレスに確認できるため、より効率的且つ正確な診断が可能になる。
【００５６】
図１５は、分割された領域に表示される映像を予め確認できるようにディスプレイ部にマーカー及びテキストが共に表示される一例を示す図である。
【００５７】
ディスプレイ部１００に表示されたマーカー１１０、１１１、１１２を移動させる場合、分割される画面の異なる領域（１３０、１６０、１５０）（図７〜図１０参照）に表示される対象体映像の種類を使用者が予め分かるように、マーカー１１０、１１１、１１２と、異なる映像（１３１、１６１、１５１）の特徴を示すテキストとがディスプレイ部１００の画面に共に表示される。
【００５８】
図１５に示すように、ディスプレイ部１００の左側のマーカー１１０には、“ｓｏｆｔ”というテキストを共に表示して、該当のマーカー１１０を移動させる場合に、軟組織Ｘ線映像が一部の領域に表示されることを使用者が分かるようにし、ディスプレイ部１００の右側のマーカー１１１には、“ｂｏｎｅ”というテキストを共に表示して、該当のマーカー１１１を移動させる場合に、骨Ｘ線映像が一部の領域に表示されることを使用者が分かるようにする。そして、ディスプレイ部１００の上部のマーカー１１２には、“ｃｏｌｏｒ”というテキストを共に表示して、該当のマーカー１１２を移動させる場合に、カラーＸ線映像が一部の領域に表示されることを使用者が分かるようにする。
【００５９】
テキストをマーカー１１０、１１１、１１２と併記して表示することは一例であり、サムネイルをマーカー１１０、１１１、１１２と共に併記してもよい。異なる領域（１３０、１６０、１５０）にどの種類の映像が表示されるか予め分かるようにする表示であれば、本実施例の範疇に含まれる。
【００６０】
図１６〜図２０は、分割された第１領域及び第２領域に表示される第１映像及び第２映像を他の映像に変更する例示的な方法を示す図である。
【００６１】
図１６を参照すると、第１領域１２０及び第２領域１３０の下端に、複数のサムネイルｔｎ１、ｔｎ２、ｔｎ３、ｔｎ４が表示されるウィンドウ１２３、１３３を形成する。サムネイルｔｎ１、ｔｎ２、ｔｎ３、ｔｎ４が表示されるウィンドウ１２３、１３３は、各領域の下端だけでなく上端などの他の位置に形成してもよい。サムネイルｔｎ１、ｔｎ２、ｔｎ３、ｔｎ４は、同一の対象体の同一の部位を様々な技法で撮影したＸ線映像のサムネイルであってもよい。サムネイルｔｎ１、ｔｎ２、ｔｎ３、ｔｎ４が示すＸ線映像は、メモリ２０（図１参照）に予め格納される。軟組織Ｘ線映像のサムネイルｔｎ１、一般のＸ線映像のサムネイルｔｎ２、骨Ｘ線映像のサムネイルｔｎ３、カラーＸ線映像のサムネイルｔｎ４など、様々なＸ線映像のサムネイルを表示することができる。
【００６２】
図１６（ｂ）及び図１７（ｂ）を参照すると、第１領域１２０には骨Ｘ線映像が、第２領域１３０には軟組織Ｘ線映像が表示され、使用者が一般のＸ線映像と骨Ｘ線映像とを比較しようとする場合、第２領域１３０の下端に表示されたサムネイルｔｎ１、ｔｎ２、ｔｎ３、ｔｎ４のうち、一般のＸ線映像のサムネイルｔｎ２をクリックするか又はタッチする。一般のＸ線映像のサムネイルｔｎ２をクリックするか又はタッチすると、第２領域１３０に表示された軟組織Ｘ線映像は一般のＸ線映像に変更される。変更された一般のＸ線映像と第１領域１２０の骨Ｘ線映像とは境界線Ｖｂ１で自然に整合され、整合された映像は同一の対象体の同一の部位を示す。
【００６３】
図示していないが、使用者が軟組織Ｘ線映像とカラーＸ線映像とを比較しようとする場合、第１領域１２０の下端に表示されたサムネイルｔｎ１、ｔｎ２、ｔｎ３、ｔｎ４のうち、カラーＸ線映像のサムネイルｔｎ４をクリックするか又はタッチする。カラーＸ線映像のサムネイルｔｎ４をクリックするか又はタッチすると、第１領域１２０に表示された骨Ｘ線映像はカラーＸ線映像に変更される。変更されたカラーＸ線映像と第２領域１３０の一般のＸ線映像とは境界線Ｖｂ１で自然に整合され、整合された映像は同一の対象体の同一の部位を示す。
【００６４】
図１８を参照すると、第１領域１２０及び第２領域１３０の下端には、各領域に表示されるＸ線映像の特徴を説明するテキストと、テキストを変更するアイコンとが共に表示されるウィンドウ１２４、１３４が形成される。テキストが表示されるウィンドウ１２４、１３４は、各領域の下端だけでなく上端など、他の位置に形成することもできる。
【００６５】
第１領域１２０に表示される第１映像１２１を骨Ｘ線映像から軟組織Ｘ線映像に変更しようとする場合、使用者は、図１８の（ａ）に示すように、第１領域１２０の下端に形成されたウィンドウ１２４、１３４でテキストを変更するアイコンをタッチ又はクリックし、図１８の（ｂ）に示すように、“ｓｏｆｔ”というテキストをタッチ又はクリックする。テキストをタッチ又はクリックすると、図１８の（ｃ）に示すように、第１領域１２０に表示される第１映像１２１が、骨Ｘ線映像から軟組織Ｘ線映像に変更される。変更された軟組織Ｘ線映像と第２領域１３０の一般のＸ線映像とは境界線Ｖｂ１で自然に整合され、整合された映像は同一の対象体の同一の部位を示す。
【００６６】
図１９及び図２０を参照すると、第１領域１２０及び第２領域１３０には、サムネイルやテキストが表示される別途のウィンドウが形成されない。本実施例において、使用者は、変更しようとする映像が表示された領域にカーソルを位置させて、マウスのホイールを通じたスクロール命令やキーボードの方向キーの操作を通じた命令によって映像を変更する。或いは、マウスのホイールを通じたスクロール命令と同様に、映像を変更しようとする領域をタッチし、下方や上方にドラッグして映像を変更する。
【００６７】
図１９及び図２０に示すように、第２領域１３０にカーソルを位置させ、マウスのホイールを下方に回転させてスクロールダウン命令を入力すると、第２領域１３０に表示された第２映像１３１が、メモリ２０に格納されたＸ線映像に順次変更される。変更しようとする映像が通り過ぎた場合、使用者は、マウスホイールを上方に回転させてスクロールアップ命令を入力し、望みの映像を探すことができる。スクロールダウン又はスクロールアップ命令が続けて入力され、望みの映像が第２領域１３０に表示されてスクロールが止まると、映像がそれ以上変更されない。
【００６８】
使用者は、マウスを通じた入力だけでなく、キーボードの方向キーのうちの下方向又は上方向を表す方向キーを操作して、同様の方式で、第２領域１３０に表示される映像を変更することができる。勿論、左右方向キーを操作して映像を変更することもできる。マウスやキーボードを一例として説明したが、上述した他の入力方式を用いて映像を変更することも可能である。また、使用者は、マウスやキーボードのような別途の入力部を用いずに、指やタッチペンを用いてディスプレイ部１００の画面を直接タッチし、上下方向にドラッグすることによって、第２領域１３０に表示される映像を変更することができる。
【００６９】
図２１及び図２２は、ディスプレイ部に表示される映像を拡大して分割する例示的な方法を示す図である。図２１を参照すると、使用者は、関心領域を拡大して観察するために、関心領域の拡大命令を入力する。図２１の（ａ）及び（ｂ）に示すように、関心領域の近くの所定の位置をクリックし、ドラッグして拡大しようとする領域を指定する。一般に、ドラッグラインを対角線とする四角形がドラッグ方向に沿って形成され、このように形成された四角形領域が拡大領域として指定される。
【００７０】
クリックを用いずに、タッチを通じて直接拡大領域の形態及び大きさを指定することもできる。例えば、図２２の（ａ）及び（ｂ）に示すように、関心領域の近くの所定の位置をタッチし、拡大しようとする領域の形態を指又はタッチペンで描く。図２２（ｂ）は、拡大領域が円形に形成されたものを示す。図２１及び図２２に示した拡大領域を指定する方法は一例にすぎず、他の様々な方法で具現することができる。
【００７１】
図２１（ｃ）及び図２２（ｃ）に示すように、拡大領域が指定される前、拡大領域に該当する部分の映像は、拡大領域の指定が完了すると、予め定められた倍率で拡大されて表示される。拡大倍率は多様に予め設定してメモリ２０に格納することができ、使用者は、所望の拡大倍率を選択して、映像の拡大度合いを決定することができる。
【００７２】
上述した様々な実施例で説明したように、拡大領域の画面もまた分割が可能である。そして、分割された領域に、それぞれ異なる技法で撮影された同一の対象体の映像をそれぞれ表示する。図２１（ｄ）及び図２２の（ｄ）を参照すると、画面の任意の位置をクリック又はタッチすると、クリック地点Ｃｐｅ又はタッチ地点Ｔｐｅを通る垂直境界線Ｖｂｅが生成され、生成された垂直境界線Ｖｂｅを境界とする第１領域１２０ｅと第２領域１３０ｅとに画面が分割される。図は、第１領域１２０ｅと第２領域１３０ｅとの境界線Ｖｂｅが垂直に生成されるものとして示しているが、水平又は対角線の境界線が形成されてもよい。ユーザが望む境界線を選択できるように、それぞれの境界線毎に、該当の境界線を選択するためのそれぞれ異なる操作方法を予め設定してメモリ２０に格納することができる。例えば、クリック地点を一回クリックすると垂直境界線が生成され、２回クリックすると水平境界線が生成されるように予め設定することができる。また、拡大領域に、図２に示したようにマーカー１１０、１１１が表示されて、マーカー１１０、１１１をドラッグすることによって拡大領域を分割することも勿論可能である。
【００７３】
分割された第１領域１２０ｅ及び第２領域１３０ｅには、同一の対象体の同一の部位を互いに異なる技法で撮影した映像がそれぞれ表示される。図２１（ｄ）及び図２２（ｄ）に示すように、第１領域１２０ｅにはカラーＸ線映像が表示され、第２領域１３０ｅには一般のＸ線映像が表示され得る。第１領域１２０ｅ及び第２領域１３０ｅの画面占有比率を調節するために、図２で説明したようにマーカー１１０、１１１をドラッグする方法や、図１１〜図１４で説明したように、拡大領域において境界線Ｖｂｅが形成されることを望む地点をクリック又はタッチする方法を適用することができる。
【００７４】
第１領域１２０ｅ及び第２領域１３０ｅの画面占有比率が変化し、それによって、第１映像１２１ｅ及び第２映像１３１ｅが示す対象体の一定領域の比率が変化しても、第１映像１２１ｅ及び第２映像１３１ｅが示す対象体の一定領域の比率の変化と関係なく、第１映像１２１ｅ及び第２映像１３１ｅは常に垂直境界線Ｖｂｅで自然に整合される。また、拡大領域の分割された第１領域１２０ｅ及び第２領域１３０ｅに表示される第１映像１２１ｅ及び第２映像１３１ｅを、図１６〜図２０に説明した方法を適用して、他の種類の映像に変更することもできる。
【００７５】
上述した様々な実施例によって、使用者は、観察しようとする対象体の一定領域を、互いに異なる映像で容易且つ迅速に交互に確認することができる。また、使用者は、複数のディスプレイ装置ではなく一つのディスプレイ装置で、関心を持つ対象体の一定領域を、それぞれ異なる技法で撮影してそれぞれ固有の情報を有する異なる種類の映像の結合でシームレスに表示し、比較することができる。一つのディスプレイ装置で、同一の部位を複数の映像を通じて同時に確認できるため、診断の正確度を向上させることができ、より直観的な診断が可能になる。
【００７６】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００７７】
１    ディスプレイ装置
１０    入力部
２０    メモリ
１００    ディスプレイ部
１１０、１１１、１１２    マーカー
１２０、１２０ｅ    第１領域
１２１、１２１ｅ    第１映像
１２３、１２４、１３３、１３４    ウィンドウ
１３０、１３０ｅ、１４０、１５０    第２領域
１３１、１３１ｅ、１４１、１５１    第２映像
１６０    第３領域
１６１    第３映像
Ｃｐ１、Ｃｐｅ    クリック地点
ｈｂ１    水平境界線
Ｔｎ１〜Ｔｎ４    サムネイル
Ｔｐｅ    タッチ地点
Ｖｂ１、Ｖｂｅ    垂直境界線
【図１】
2015076882.tif 000003
【図２】
2015076882.tif 000004
【図３】
2015076882.tif 000005
【図４】
2015076882.tif 000006
【図５】
2015076882.tif 000007
【図６】
2015076882.tif 000008
【図７】
2015076882.tif 000009
【図８】
2015076882.tif 000010
【図９】
2015076882.tif 000011
【図１０】
2015076882.tif 000012
【図１１】
2015076882.tif 000013
【図１２】
2015076882.tif 000014
【図１３】
2015076882.tif 000015
【図１４】
2015076882.tif 000016
【図１５】
2015076882.tif 000017
【図１６】
2015076882.tif 000018
【図１７】
2015076882.tif 000019
【図１８】
2015076882.tif 000020
【図１９】
2015076882.tif 000021
【図２０】
2015076882.tif 000022
【図２１】
2015076882.tif 000023
【図２２】
2015076882.tif 000024